(57)【要約】【課題】液体用紙容器の上部に取り付けられる注出口に螺合して装着されるキャップであって、予めキャップを注出口に装着した状態で支障なく液体用紙容器に取り付けることができ、且つキャップを取り外す際には、高齢者など力の弱い人でも容易に取り外すことができるという生産性、経済性及び使用適性に優れた注出口のキャップを提供する。【解決手段】注出口のキャップを、少なくとも天板１とそれに連続して垂設される周壁２とを有する形状に形成し、周壁２の内周面に注出口に螺合するネジ部を設けると共に、周壁２の外周面には、滑り防止用の縦方向の凹凸条３を設け、更にキャップの天板１の外面、乃至周壁２の外面の一部に、キャップの回動による着脱を容易にするための補助手段をキャップの周壁の外形から横方向には大きく突出しない形状に設けて構成する。【選択図】        図１
2004338761.tif 000002
【特許請求の範囲】
【請求項１】
液体用紙容器の上部に取り付けられる注出口に螺合して装着されるキャップであって、該キャップが、少なくとも天板と該天板に連続して垂設される周壁とを有し、該周壁の内周面に注出口に螺合するネジ部が設けられると共に、該周壁の外周面には、該キャップを回動させて着脱する際の滑り防止用の縦方向の凹凸条が設けられ、更に、該キャップの天板の外面、乃至周壁の外面の一部に、該キャップの回動による着脱を容易にするための補助手段が、該キャップの周壁の外形から横方向には大きく突出しない形状に設けられていることを特徴とする注出口のキャップ。
【請求項２】
前記補助手段が、前記キャップの天板の外面に垂直方向に突設された板状のつまみ部であることを特徴とする請求項１記載の注出口のキャップ。
【請求項３】
前記補助手段が、前記キャップの天板の外面に垂直方向に突設され、中心部に棒状体の差し込みが可能な穴が設けられた環状体であることを特徴とする請求項１記載の注出口のキャップ。
【請求項４】
前記補助手段が、前記キャップの天板の外面に刻設され、コインなどの円板体を立てて差し込み可能とした凹溝であることを特徴とする請求項１記載の注出口のキャップ。
【請求項５】
前記補助手段が、前記キャップの天板と周壁の間に、その角部を面取りして傾斜部を設け、該傾斜部の外面に設けられた複数の小突起で形成されていることを特徴とする請求項１記載の注出口のキャップ。
【発明の詳細な説明】
【０００１】
【発明の属する技術分野】
本発明は注出口のキャップに関し、更に詳しくは、液体用紙容器の上部に取り付けられる注出口に螺合して装着されるキャップであって、特に装着されたキャップを取り外す際、小さな力でも容易に取り外すことができるように、キャップ周壁の外周面に設けられた通常の滑り防止用の縦方向の凹凸条とは別に、キャップの上面に、キャップ取り外し用の補助手段を設けた注出口のキャップに関する。
【０００２】
【従来の技術】
従来、各種飲料などの食品または非食品の液体内容物に使用される液体用紙容器には、密封の安全性や使用時の使い勝手をよくするため、その上部にキャップ付きの注出口が取り付けられていた。
このようなキャップ付きの注出口としては、注出口にスクリュー式のキャップを装着したものが一般的であり、注出口は、通常、注出筒部を中心として、その基部外周に、液体用紙容器の取り付け穴に熱接着されるフランジ部が延設され、その内側には、環状の薄肉部を介して切り取り可能に設けられたプルリング付きの密閉板が設けられ、また、注出筒部の上部外周面には、キャップを装着するためのネジ部を設けて構成され、また、これに装着するキャップは、主要な構成として、円形の天板と、その外周に連続して下方に延設される周壁とを有し、周壁の内周面には、前記注出口の注出筒部の上部外周面に設けられたネジ部に螺合するネジ部が設けられ、周壁の外周面には、キャップの装着および取り外しを容易にするための滑り防止用の縦方向の凹凸条を設けた構成が一般的である。
【０００３】
スクリュー式キャップの周壁の外周面に滑り防止用の縦方向（回転方向と直交する方向）の凹凸条を設けることは、液体用紙容器の注出口のキャップに限らず、各種のボトルやチューブ容器など広範囲の容器のキャップで古くから行われており、通常の使用では開封を容易にする手段として良好に利用されている。
このような滑り防止用の縦方向の凹凸条は、液体用紙容器に取り付けられる注出口に螺合して装着されるキャップにおいても、当然必要な構成要素として採用されている。只、キャップの装着および取り外しの際のスリップを防止して、装着および取り外しの操作を容易にする以外には、格別な作用効果がないため、多くの特許文献において、特に説明はないが図には示されている（例えば、特許文献１参照）。
【０００４】
しかし、液体用紙容器に取り付けられる注出口とスクリューキャップは、比較的口径が小さく、全体として小型のものが多く、且つ、液体用紙容器に取り付ける際には、製造工程を簡略にするため、予め注出口に機械的にキャップをネジ締めして装着したものが取り付けられている。そのため、キャップが強くネジ締めされており、最初にキャップを取り外す際には比較的大きな力を必要とし、前記滑り防止用の縦方向の凹凸条だけでは特に高齢者などにとっては開封が困難となる問題があった。
【０００５】
このような問題を解決するためには、前記滑り防止用の縦方向の凹凸条に加えて、キャップの取り外しを一層容易にするための何らかの補助手段を設けることが必要となる。上記補助手段の具体例として、キャップの外径を大きくして梃子の作用を利用して開けやすくする方法があるが、キャップの外径を大きくすると、液体用紙容器の場合、注出口の取り付けを、通常、その基部に設けたフランジ部を紙容器に熱接着する方法で行うため、注出口に予めキャップを装着するとフランジ部の上方が大きなキャップで覆われて、熱接着の作業が困難になる問題があり、そうかといって注出口を先に液体用紙容器に熱接着して、その後、キャップを注出口にネジ締めして装着するのでは、液体用紙容器の製造工程が増し、注出口やキャップの取り付け装置も大掛かりになる問題があった。また、キャップ全体が大きくなると、必要以上に樹脂の使用量が増し、コスト面でも不利となる問題があった。
【０００６】
また、前記補助手段の別の例として、キャップ自体に設けたものではないが、液体用紙容器に設けた取り付け用の穴にネジ部を差し込んでネジ締めして取り付けられる別体の注出口栓であって、注出口栓を取り付けるときに大きな力を必要とせずに取り付けることが可能で、使用済みの液体用紙容器を解体して分別回収するときには、注出口栓を取り外し易く、再使用も可能な注出口栓として、上端にヒンジ部を介して開閉する蓋部を備えた注出筒の下端にフランジ部を設け、このフランジ部の下方に前記注出筒から下方へつぼまる逆円錐状の筒体を延設し、その筒体の外周面にネジ部を形成し、また、前記フランジ部上面の対向する位置に、一対の回動用突起を１個または複数個起立形成した注出口栓がある（例えば、特許文献２参照）。
【０００７】
しかし、上記のような一対の回動用突起をキャップに応用して、例えば、キャップ側壁の外周面に一対の回動用突起を設けたとしても、キャップの取り外しなどその着脱は容易になるが、キャップの横方向の外形は回動用突起の部分で大きくなるため、前記キャップの外径を大きくした場合と同様に、このようなキャップを予め装着した注出口を液体用紙容器に熱接着して取り付ける際には、熱接着の作業が困難になり、液体用紙容器の製造工程を増し、また、注出口やキャップの取り付け装置を大掛かりにする問題があった。
【０００８】
【特許文献１】
特開２００２−１９８１４号公報（第３〜４頁、図１）
【特許文献２】
特開２０００−２５８１２号公報（第２頁、図１）
【０００９】
【発明が解決しようとする課題】
本発明は、このような問題点を解決するためになされたものであり、その目的とするところは、液体用紙容器の上部に取り付けられる注出口に螺合して装着されるキャップであって、予め注出口にキャップを装着した状態で、液体用紙容器の上部に設けられた注出口の取り付け穴に容易に差し込み、熱接着して取り付けることができ、液体用紙容器の製造工程を増加させることがなく、また、注出口やキャップの取り付け装置を大がかりなものにすることもなく、且つ、装着されたキャップの注出口からの取り外しなど着脱の際には、大きな力を必要とせず、高齢者など力の弱い人でも容易にキャップを回動させて着脱することができるという、生産性、経済性と共に使用適性に優れた注出口のキャップを提供することにある。
【００１０】
【課題を解決するための手段】
上記の課題は、以下の本発明により解決することができる。
即ち、請求項１に記載した発明は、液体用紙容器の上部に取り付けられる注出口に螺合して装着されるキャップであって、該キャップが、少なくとも天板と該天板に連続して垂設される周壁とを有し、該周壁の内周面に注出口に螺合するネジ部が設けられると共に、該周壁の外周面には、該キャップを回動させて着脱する際の滑り防止用の縦方向の凹凸条が設けられ、更に、該キャップの天板の外面、乃至周壁の外面の一部に、該キャップの回動による着脱を容易にするための補助手段が、該キャップの周壁の外形から横方向には大きく突出しない形状に設けられていることを特徴とする注出口のキャップからなる。
【００１１】
本発明において、キャップを装着する注出口は、特に限定はされず、液体用紙容器に一般的に使用されている注出口、例えば、注出筒部を中心として、その基部外周に液体用紙容器の取り付け穴に熱接着されるフランジ部が延設されると共に、その基部内側には、環状の薄肉部を介して切り取り可能に、プルリングを備えた密閉板が設けられ、また、注出筒部の上部外周面にはキャップを螺合して装着するためのネジ部が設けられた構成の注出口など、少なくとも注出筒部を中心として、その基部外周に前記フランジ部が延設され、また、注出筒部の上部外周面に、キャップを螺合して装着するためのネジ部が設けられた構成の注出口であれば何でも使用することができる。
注出口を取り付ける液体用紙容器に関しても、特に限定はされず、ゲーベルトップタイプの紙容器のほか、フラットトップタイプの紙容器など、何れも使用することができる。
【００１２】
また、前記キャップの回動による着脱を容易にするための補助手段としては、少なくともキャップ周壁の外周面に設けた縦方向の凹凸条よりも滑り防止効果がよく、キャップを強く掴んで回動させる必要がなく、キャップを取り外すための力をキャップの回動に集中できる形状のもの、或いは、梃子の作用を利用できる形状のもので、且つ、キャップの周壁の外形から横方向に大きく突出しない形状のものであれば任意に設計して設けることができる。
このような補助手段の具体例として、例えば、（１）キャップの天板の外面に垂直方向に突設させた板状のつまみ部、（２）キャップの天板の外面に垂直方向に突設され、中心部に棒状体の差し込みが可能な穴を設けた環状体、（３）キャップの天板の外面に刻設され、コインなどの円板体を立てて差し込めるようにした凹溝、或いは、（４）キャップの天板と周壁の間の角部に面取りして設けた傾斜部の外面に設けた複数の小突起、などを補助手段として設けることができる。
【００１３】
前記のような構成を採ることにより、本発明の注出口のキャップは、該キャップを注出口の先端部に螺合して装着する際、および装着されたキャップを取り外す際に、滑りを防止するための縦方向の凹凸条がキャップ周壁の外周面に設けられると共に、該キャップの天板の外面、乃至周壁の外面の一部に、該キャップの回動による着脱を容易にするための補助手段が、該キャップの周壁の外形から横方向には大きく突出しない形状に設けられているので、注出口をそのフランジ部で液体用紙容器の上部に熱接着して取り付ける際、予め注出口にキャップを装着しておいても、キャップが熱接着その他注出口の取り付け作業の邪魔になることがなく、従来のキャップ付き注出口の取り付け装置をそのまま使用するか、または一部を改造するだけで容易に熱接着して取り付けることができる。
また、注出口の先端部に予めキャップを螺合して装着する装置に関しても、従来の装置をそのまま使用するか、または一部を改造するだけで使用することができる。
【００１４】
従って、液体用紙容器に注出口とキャップを別々に取り付ける必要がないので液体用紙容器の製造工程を増加させることもなく、また、注出口やキャップの取り付け装置を大がかりなものにする必要もなく、従来のキャップ付き注出口を取り付けた液体用紙容器と同様に、生産性よく注出口およびキャップを取り付けた液体用紙容器を製造することができる。
また、装着されたキャップの注出口からの取り外しなど着脱の際には、キャップの周壁の外周面に設けられた滑り防止用の縦方向の凹凸条に加えて、キャップの回動による着脱を容易にするための前記補助手段が設けられているので、高齢者など力の弱い人でも容易にキャップを回動させて取り外すことができる。
【００１５】
請求項２に記載した発明は、前記補助手段が、前記キャップの天板の外面に垂直方向に突設された板状のつまみ部であることを特徴とする請求項１記載の注出口のキャップからなる。
【００１６】
このような構成を採ることにより、請求項１に記載した発明の作用効果に加えて、キャップの回動による着脱を容易にするための補助手段として、キャップの天板の外面に垂直方向に突出するように板状のつまみ部が設けられているので、特に注出口に螺合して装着されたキャップを取り外す際なども、この板状のつまみ部をつまんで回動させることにより、指が滑ることが確実に防止され、一層容易にキャップを取り外すことができる。従って、力の弱い人でも一層容易にキャップの着脱を行うことができる。
【００１７】
請求項３に記載した発明は、前記補助手段が、前記キャップの天板の外面に垂直方向に突設され、中心部に棒状体の差し込みが可能な穴が設けられた環状体であることを特徴とする請求項１記載の注出口のキャップからなる。
【００１８】
前記環状体の中心部に設けた穴は、その穴に棒状体を差し込み、穴を中心として棒状体を廻すことによりキャップの回動による着脱を容易にするものであり、使用する棒状体は、硬さがあり身近にあるものであれば何でもよく、例えば、箸、ボールペンなど任意に使用することができる。
【００１９】
前記のような構成を採ることにより、請求項１に記載した発明の作用効果に加えて、キャップの回動による着脱を容易にするための補助手段が、キャップの天板の外面に垂直方向に突設され、中心部に棒状体の差し込みが可能な穴が設けられた環状体で形成されているので、例えば、注出口に螺合して装着されたキャップを取り外す際、前記環状体の穴に棒状体を差し込んでキャップを回動させることにより、梃子の作用を利用して一層容易にキャップを回動させて取り外すことができる。従って、力の弱い人でも一層容易にキャップの着脱を行うことができる。
【００２０】
請求項４に記載した発明は、前記補助手段が、前記キャップの天板の外面に刻設され、コインなどの円板体を立てて差し込み可能とした凹溝であることを特徴とする請求項１記載の注出口のキャップからなる。
【００２１】
前記凹溝は、コインなどの円板体を立てて差し込み、水平方向に回転させることにより、キャップを回動できる形状であればよく、一字形の凹溝のほか、十字形などの凹溝に形成することができる。
また、前記コインなどの円板体は、コインそのものでもよいが、類似の形状のメダル、或いは、スプーンの柄など端部が丸みのある板状で、キャップの天板の外面に刻設された前記凹溝に差し込んでキャップを回動できるものであれば何でもよい。
【００２２】
前記のような構成を採ることにより、請求項１に記載した発明の作用効果に加えて、キャップの回動による着脱を容易にするための補助手段が、キャップの天板の外面に刻設され、コインなどの円板体を立てて差し込むことのできる凹溝で形成されているので、例えば、注出口に螺合して装着されたキャップを取り外す際、前記凹溝にコインなどの円板体を立てて差し込み、水平方向に廻すことにより、この場合も梃子の作用により容易にキャップを回動させて取り外すことができる。従って、力の弱い人でも一層容易にキャップの着脱を行うことができる。
【００２３】
請求項５に記載した発明は、前記補助手段が、前記キャップの天板と周壁の間に、その角部を面取りして傾斜部を設け、該傾斜部の外面に設けられた複数の小突起で形成されていることを特徴とする請求項１記載の注出口のキャップからなる。
【００２４】
このような構成を採ることにより、請求項１に記載した発明の作用効果に加えて、キャップの回動による着脱を容易にするための補助手段が、前記キャップの天板と周壁の間に、その角部を面取りして傾斜部を設け、該傾斜部の外面に設けられた複数の小突起で形成されているので、例えば、注出口に螺合して装着されたキャップを取り外す際、キャップをつまんだ指が滑るのを一層効果的に防止することができる。従って、キャップに加える力をキャップの回動に集中できるので、力の弱い人でも一層容易にキャップの着脱を行うことができる。
【００２５】
【発明の実施の形態】
以下に本発明の注出口のキャップの実施の形態について図面を用いて更に詳しく説明する。
図１〜図４は、それぞれ本発明の注出口のキャップの一実施例の構成を示す図であり、いずれも（イ）はその正面図、（ロ）はその側面図、（ハ）はその平面図である。
また、図５は、本発明の注出口のキャップを螺合して装着する注出口の一例の構成を示す拡大断面図である。
図６は、本発明の注出口のキャップを取り付けた液体用紙容器の一例の形状を示す側面図である。
尚、本発明は、その要旨を超えない限り、これらの図面に限定されるものではない。
【００２６】
図１は、本発明の注出口のキャップの第１の実施例の構成を示す図であり、図１の（イ）、（ロ）、（ハ）に示すように、注出口のキャップ１００は、天板１とその外周に連続して垂設される周壁２とを有し、周壁２の内周面には、図には示していないが、注出口（例えば、図５参照）の外周面に設けられたネジ部に螺合するネジ部が設けられると共に、周壁２の外周面にはキャップ１００を回動させて注出口に着脱する際の滑り防止用の縦方向の凹凸条３が設けられ、更に、キャップ１００の天板１の外面に、キャップ１００の回動による着脱を一層容易にするための補助手段として板状のつまみ部４を、周壁２の外形から横方向には突出しないように垂直上方に突設して構成したものである。
【００２７】
このような構成を採ることにより、前記補助手段の板状のつまみ部４が、キャップ１００の周壁２の外形から横方向には突出しないように設けられているので、液体用紙容器に注出口を取り付ける際、注出口に予めキャップ１００を装着しておいても、キャップ１００が取り付けの邪魔になることはなく、容易に注出口を液体用紙容器に熱接着して取り付けることができる。従って、注出口とキャップ１００とを別々に液体用紙容器に取り付ける必要がないので、製造工程が増すこともなく、生産性よく液体用紙容器を製造することができる。
また、液体用紙容器に充填された内容物の使用に際して、注出口に装着されたキャップ１００を取り外す際も、板状のつまみ部４を指でつまんでキャップ１００を回動させることができるので、指が滑るようなこともなく、力の弱い人でも容易にキャップ１００を取り外すことができる。
【００２８】
図２は、本発明の注出口のキャップの第２の実施例の構成を示す図であり、図２の（イ）、（ロ）、（ハ）に示した注出口のキャップ２００は、前記図１に示した注出口のキャップ１００の構成において、キャップの回動による着脱を容易にするための補助手段として設けた板状のつまみ部４のみを、中心部に棒状体の差し込みが可能な穴６を設けた環状体５を、周壁２の外形から横方向には突出しないように垂直上方に突設した形状に変更して構成したものであり、その他の構成は全て前記図１に示した注出口のキャップ１００と同様に形成して構成したものである。
【００２９】
このような構成を採った場合も、前記補助手段の環状体５は、注出口のキャップ２００の周壁２の外形から横方向には突出しないので、注出口を液体用紙容器に取り付ける際、予めキャップ２００を注出口に装着しておいてもキャップ２００が邪魔になることはなく、容易に注出口を液体用紙容器に熱接着して取り付けることができる。従って、製造工程を増すこともなく、生産性よく液体用紙容器を製造することができる。
また、注出口に装着されたキャップ２００を取り外す際も、環状体５の穴６に棒状体を差し込んで廻すことにより、梃子の作用を利用してキャップ２００を回動させて取り外すことができるので、力の弱い人でも一層容易にキャップ２００の着脱を行うことができる。
【００３０】
図３は、本発明の注出口のキャップの第３の実施例の構成を示す図であり、図３の（イ）、（ロ）、（ハ）に示した注出口のキャップ３００は、前記図１に示した注出口のキャップ１００の構成において、キャップの回動による着脱を容易にするための補助手段として設けた板状のつまみ部４のみを、キャップ３００の天板１の外面に刻設され、コインなどの円板体を立てて差し込むことのできる凹溝７に変更して構成したものであり、その他の構成は全て前記図１に示した注出口のキャップ１００と同様に形成して構成したものである。
尚、上記凹溝７は、図では一字形の例を示したが十字形などの形状であってもよい。
【００３１】
このような構成を採った場合も、前記補助手段の凹溝７は、当然注出口のキャップ３００の周壁２の外形から横方向に突出しないので、注出口を液体用紙容器に取り付ける際、予めキャップ３００を注出口に装着しておいてもキャップ３００が邪魔になることはなく、容易に注出口を液体用紙容器に熱接着して取り付けることができる。従って、製造工程を増すこともなく、生産性よく液体用紙容器を製造することができる。
また、注出口に装着されたキャップ３００を取り外す際も、凹溝７にコインなどの円板体を立てて差し込み、水平方向に廻すことにより、この場合も梃子の作用を利用してキャップ３００を回動させて取り外すことができるので、力の弱い人でも容易にキャップ３００の着脱を行うことができる。
【００３２】
図４は、本発明の注出口のキャップの第４の実施例の構成を示す図であり、図４の（イ）、（ロ）、（ハ）に示した注出口のキャップ４００は、前記図１に示した注出口のキャップ１００の構成において、キャップの回動による着脱を容易にするための補助手段として設けた板状のつまみ部４のみを、キャップ４００の天板１と周壁２の間に、その角部を面取りして傾斜部９を設け、その傾斜部９の外面に複数の小突起８を設けた形状に変更して構成したものであり、その他の構成は全て前記図１に示した注出口のキャップ１００と同様に形成して構成したものである。
【００３３】
このような構成を採った場合も、前記複数の小突起８は、注出口のキャップ４００の周壁２の外形から横方向に突出しないように設けられているので、注出口を液体用紙容器に取り付ける際、予めキャップ４００を注出口に装着しておいてもキャップ４００が注出口の取り付けの邪魔になることはなく、容易に注出口を液体用紙容器に熱接着して取り付けることができる。従って、製造工程を増すこともなく、生産性よく液体用紙容器を製造することができる。
また、注出口に装着されたキャップ４００を取り外す際には、キャップ４００をつまんだ指が滑るのを複数の小突起８により一層効果的に防止できるので、キャップ４００に加える力をキャップ４００の回動に集中することができ、力の弱い人でも一層容易にキャップ４００の着脱を行うことができる。
【００３４】
以上、図１〜図４に示したような本発明の注出口のキャップは、例えば、ポリエチレン系樹脂、ポリプロピレン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリカーボネート系樹脂、その他の熱可塑性の成形用樹脂を使用し、射出成形法、圧縮成形法などの手段で成形して製造することができる。
また、図には示していないが、本発明の注出口のキャップの天板の内側の面には、再封時の密封性をよくするため、パッキングなどを設けてもよく、また、注出口の注出筒部の内周面に接するインナーリングを垂設してもよい。
【００３５】
次に、図５は、本発明の注出口のキャップを螺合して装着する注出口の一例の構成を示す拡大断面図であり、図５に示した注出口５０は、注出筒部１０を中心として、その基部（図において下側の端部）外周に台座１１を介して液体用紙容器の取り付け穴の周囲に熱接着されるフランジ部１２が延設されると共に、その基部内側には、環状の薄肉部１３を介して切り取り可能に、プルリング１５を立設させた密閉板１４が設けられ、また、注出筒部１０の上部外周面にはキャップを螺合して装着するためのネジ部１６が設けらて構成されている。
【００３６】
このような注出口５０は、液体用紙容器に取り付ける際には、液体用紙容器の上面板１７に設けられた注出口５０の取り付け穴に、内側から注出口５０の注出筒部１０を差し込んで、液体用紙容器の上面板１７の内面と注出口５０のフランジ部１２の外面（図において上側の面）とを当接させ、通常、超音波シールによりリング状に熱接着されるものである。
【００３７】
従って、少なくとも注出口５０のフランジ部１２の外面は、液体用紙容器の上面板１７の最内層のシーラント層と超音波シールにより熱接着可能な樹脂で形成することが必要であり、そのためには、例えば、液体用紙容器の最内層のシーラント層にポリエチレンなどポリエチレン系樹脂を用いた場合は、少なくとも注出口５０のフランジ部１２の外面にもポリエチレン系樹脂を用いて形成することが好ましい。
このような注出口５０は、通常、射出成形法で成形して製造されるが、例えば、前記フランジ部１２の外面と他の部分とを異なる樹脂で形成する場合は、インサート射出成形法や二色成形法などで成形して製造することができる。
【００３８】
また、このような注出口５０を、液体用紙容器の上面板１７に設けられた注出口５０の取り付け穴に内側から差し込んで熱接着して取り付ける際には、前述したように、製造工程を簡略にするため、注出口５０に予め前記キャップ１００〜４００をネジ部で螺合して装着した状態で取り付け穴に差し込まれるが、仮に前記キャップ１００〜４００の着脱を容易にするための補助手段がキャップの周壁の外形よりも横方向に大きく突出した形状に設けられると、注出口５０の取り付け穴への差し込みができなくなり、注出口５０とキャップを別々に取り付けることが必要となる。従って、製造工程が増すと同時に、取り付け装置も大がかりなものとなり、生産性、経済性の面で不利となるため好ましくないものである。
【００３９】
図６は、本発明の注出口のキャップを取り付けた液体用紙容器の一例の形状を示す側面図であり、液体用紙容器６０は、その液体用紙容器の本体部６１をゲーベルトップタイプのカートン形式に形成し、その上部の切妻屋根形の一方の上面板、即ち、液体用紙容器の上面板１７の略中央部に注出口の取り付け穴を設け、その取り付け穴に、図５に示した構成の注出口５０を、その注出筒部１０に予め図１に示した構成の注出口のキャップ１００を螺合して装着したものを内側から差し込んで、超音波シールにより熱接着して取り付け、上部の開口部から液状の内容物を充填し、次いで、上部の開口部を折り込んで合掌貼り形式で熱接着して形成したものである。
【００４０】
図６では、注出口のキャップとして、図１に示した構成の注出口のキャップ１００を使用した例を示したが、図２、図３、図４に示した構成の注出口のキャップ２００、３００、４００も同様に使用することができる。
また、液体用紙容器の本体部は、ゲーベルトップタイプに限らずフラットトップタイプのカートンとしてもよい。
只、液体用紙容器の本体部をゲーベルトップタイプに形成した場合は、取り付けた注出口およびキャップが、図６に破線で示したように、液体用紙容器６０の外形から横方向にも上方向にも突出しない形状に形成できるので、輸送中などに注出口やキャップが傷められることがなく、一層安全に使用することができる。
【００４１】
【実施例】
以下に、具体的な実施例を挙げて本発明を更に詳細に説明する。
（実施例１）
図１に示した構成の注出口のキャップをポリプロピレンを用いて、射出成形により、キャップ本体部（周壁）の外径が２３ｍｍで、板状のつまみ部を含む全高さが２０ｍｍとなるように成形して実施例１の注出口のキャップを作製した。
【００４２】
（実施例２）
図２に示した構成の注出口のキャップをポリプロピレンを用いて、射出成形により、キャップ本体部（周壁）の外径が２３ｍｍで、環状体を含む全高さが２１ｍｍとなるように成形して実施例２の注出口のキャップを作製した。
尚、環状体の中心部の穴は、直径６．５ｍｍの円形とした。
【００４３】
（実施例３）
図３に示した構成の注出口のキャップをポリプロピレンを用いて、射出成形により、キャップ周壁の外径が２３ｍｍで、高さが１３ｍｍ、凹溝は、幅が２ｍｍ、深さが最深部で１．８ｍｍとなるように成形して実施例３の注出口のキャップを作製した。
【００４４】
（実施例４）
図４に示した構成の注出口のキャップをポリプロピレンを用いて、射出成形により、キャップ周壁の外径が２３ｍｍで、高さが１３ｍｍ、傾斜部の傾斜角度は略４５°、斜辺の長さは４ｍｍとし、その傾斜部に半径が１．８ｍｍの半球体状の小突起を等間隔で６個設けた形状に成形して実施例４の注出口のキャップを作製した。
【００４５】
以上のように作製した実施例１〜実施例４の注出口のキャップを、ポリエチレンを射出成形して作製した図５に示した構成の注出口の注出筒部に機械でネジ締めして装着し、次いで、図６に示した形状、即ち、ゲーベルトップタイプの液体用紙容器（容量１８００ｍｌ、底面８５ｍｍ×８５ｍｍ）の一方の上面板に設けた注出口の取り付け穴に、前記実施例１〜実施例４のキャップを装着した注出口を内側から差し込んで、注出口のフランジ部の外面と紙容器の上面板の最内層のシーラント層とを当接させ、超音波シールにより熱接着したところ、いずれも注出口の取り付け穴への注出口の挿入、および超音波シールによる熱接着とも良好に行うことができた。
また、注出口の取り付け後、液体用紙容器の上部の開口部から、内容物として水１８００ｍｌを充填し、紙容器の上部を常法に従って合掌貼り形式で熱接着して密封し、注出口とキャップが取り付けられ内容物が充填された液体用紙容器を作製した。
以上のように作製した液体用紙容器について、注出口にネジ締めして装着された実施例１〜４の注出口のキャップの取り外しやすさを、それぞれに設けた補助手段を利用して以下の方法で調べた結果、いずれもキャップの周壁の外周面に縦方向の凹凸条のみを設けた従来のキャップと比較して容易に取り外すことができた。
【００４６】
（キャップの取り外し方法）
実施例１の注出口のキャップは、板状のつまみ部を指でつまんでキャップを回動させる方法で取り外した。
実施例２の注出口のキャップは、環状体の穴に箸を差し込んでキャップを回動させる方法で取り外した。
実施例３の注出口のキャップは、天板の外面に設けた凹溝に１０円硬貨を立てて差し込みキャップを回動させる方法で取り外した。
実施例４の注出口のキャップは、天板と周壁の間の角部を面取りして形成した傾斜部に設けた小突起の部分を重点的に指でつまめるようにキャップをつまんで回動させる方法で取り外した。
【００４７】
【発明の効果】
以上、詳しく説明したように、本発明によれば、液体用紙容器の上部に取り付けられる注出口に螺合して装着されるキャップであって、予め注出口にキャップを装着した状態で、液体用紙容器の上部に設けられた注出口の取り付け穴に、容易に差し込んで熱接着して取り付けることができ、液体用紙容器の製造工程を増加させることがなく、また、注出口やキャップの取り付け装置を大がかりなものにする必要もなく、且つ、注出口に装着されたキャップの取り外しなど着脱の際には、大きな力を必要とせず、高齢者など力の弱い人でも容易にキャップを回動させて着脱することができるという、生産性、経済性と共に使用適性に優れた注出口のキャップを提供できる効果を奏する。
【図面の簡単な説明】
【図１】本発明の注出口のキャップの第１の実施例の構成を示す図であり、（イ）はその正面図、（ロ）はその側面図、（ハ）はその平面図である。
【図２】本発明の注出口のキャップの第２の実施例の構成を示す図であり、（イ）はその正面図、（ロ）はその側面図、（ハ）はその平面図である。
【図３】本発明の注出口のキャップの第３の実施例の構成を示す図であり、（イ）はその正面図、（ロ）はその側面図、（ハ）はその平面図である。
【図４】本発明の注出口のキャップの第４の実施例の構成を示す図であり、（イ）はその正面図、（ロ）はその側面図、（ハ）はその平面図である。
【図５】本発明の注出口のキャップを螺合して装着する注出口の一例の構成を示す拡大断面図である。
【図６】本発明の注出口のキャップを取り付けた液体用紙容器の一例の形状を示す側面図である。
【符号の説明】
１  天板
２  周壁
３  縦方向の凹凸条
４  板状のつまみ部
５  環状体
６  穴
７  凹溝
８  小突起
９  傾斜部
１０  注出筒部
１１  台座
１２  フランジ部
１３  環状の薄肉部
１４  密閉板
１５  プルリング
１６  ネジ部
１７  液体用紙容器の上面板
５０  注出口
６０  液体用紙容器
６１  液体用紙容器の本体部
１００、２００、３００、４００  注出口のキャップ
【図１】
2004338761.tif 000003
【図２】
2004338761.tif 000004
【図３】
2004338761.tif 000005
【図４】
2004338761.tif 000006
【図５】
2004338761.tif 000007
【図６】
2004338761.tif 000008